(57)【要約】【課題】  印刷位置や、印刷内容、通帳類の仕様に変更が生じた場合においても、印刷装置側のプログラムなどを変更することなく、容易に対応できるようにする。【解決手段】  予め制御情報を記録した無線ＩＣを有した通帳類Ｔを搬送する搬送ローラ対２と、この搬送ローラ対２によって搬送される通帳類Ｔに情報を印刷する中間転写印刷部８と、搬送ローラ対２によって搬送される通帳類Ｔの無線ＩＣに記録されている制御情報を無線通信で読み取る無線ＩＣ Ｒ／Ｗ部５と、この無線ＩＣ Ｒ／Ｗ部５の読取情報に基づいて中間転写印刷部８の印刷動作を制御する制御部５８とを具備する。【選択図】      図１
2005349700.tif 000002
【特許請求の範囲】
【請求項１】
予め制御情報を記録した無線ＩＣを有した通帳類を搬送する搬送手段と、
この搬送手段によって搬送される通帳類に情報を印刷する印刷手段と、
前記搬送手段によって搬送される通帳類の無線ＩＣに記録されている制御情報を無線通信で読み取る読取手段と、
この読取手段の読取情報に基づいて前記印刷手段の印刷動作を制御する制御手段と
を具備することを特徴とする通帳類印刷装置。
【請求項２】
前記制御情報は、前記通帳類に対する印刷位置情報であることを特徴とする請求項１記載の通帳類印刷装置。
【請求項３】
前記制御情報は、前記通帳類に対する印刷内容に関する情報であることを特徴とする請求項１記載の通帳類印刷装置。
【請求項４】
前記制御情報は、前記通帳類の材質情報であることを特徴とする請求項１記載の通帳類印刷装置。
【請求項５】
前記制御情報は、前記通帳類のサイズ情報であることを特徴とする請求項１記載の通帳類印刷装置。
【請求項６】
前記制御情報は、前記通帳類の厚さ情報であることを特徴とする請求項１記載の通帳類印刷装置。
【請求項７】
前記制御情報は、前記通帳類の硬さ情報であることを特徴とする請求項１記載の通帳類印刷装置。
【請求項８】
予め制御情報を記録した無線ＩＣを有した通帳類を搬送手段によって搬送することと、
この搬送手段によって搬送される通帳類に情報を印刷手段によって印刷することと、
前記搬送手段によって搬送される通帳類の無線ＩＣに記録されている制御情報を読取手段によって無線通信で読み取ることと、
前記読取手段の読取情報に基づいて前記印刷手段の印刷動作を制御することと、
を具備することを特徴とする通帳類印刷方法。
【発明の詳細な説明】
【技術分野】
【０００１】
本発明は、例えば、通帳類等に内蔵された無線１Ｃから制御情報を読み取り、当該制御情報に基づいて印刷動作を制御する通帳類等の印刷装置及び印刷方法に関する。
【背景技術】
【０００２】
通帳類等の媒体に単色または複数色の印刷を行う印刷装置のひとつに中間転写フィルムを用いる中間転写方式のものが知られている。この印刷装置は、中間転写フィルムに情報を印刷する印刷部と、印刷された情報を通帳類に転写する転写部と、これら印刷部と転写部との間に跨るように配置されて中間転写フィルムを搬送するフィルム搬送部とを備えている。
【０００３】
印刷部はサーマルヘッド及びインクリボンを有している。転写部はヒートローラ及びバックアップローラを有している。フィルム搬送部は搬送ローラ、及び搬送ローラに中間転写フィルムを固定するためのクランパ、さらにクランパ開閉手段を有している。
【０００４】
通帳類に情報を形成する場合には、まず、中間転写フィルムを印刷部に搬送する。印刷部ではサーマルヘッドが所定情報に応じて発熱してインクリボンのインクを溶融させる。この溶融インクが中間転写フィルムの表面に転写されることにより文字や画像等の印刷情報が印刷される。印刷情報が印刷された中間転写フィルムは搬送ローラにより転写部のヒートローラとバックアップローラとの間に搬送される。また、このとき、ヒートローラとバックアップローラとの間に通帳類が送込まれて中間転写フィルムに対向される。この状態からヒートローラが回転されて中間転写フィルム及び通帳類がバックアップローラに押し付けられるとともに加熱され、中間転写フィルムの印刷情報が通帳類の表面に転写される。中間転写フィルムは長尺の基材フィルムと、この基材フィルム上の塗布された転写層とにより構成され、転写部においては転写層上に印刷された印刷情報とともに転写層が被転写媒体に転写される（例えば、特許文献１参照。）。
【０００５】
ところで、通帳類等やカードなどの媒体については近年セキュリティやサービスの観点から、無線１Ｃチップが内蔵されるケースが増えている。通帳類等の媒体に対しては通常、個人情報等のセキュリティ情報が印刷される。
【０００６】
また、セキュリティ情報を印刷する無線１Ｃ内蔵の通帳類やカード状の印刷物において、印刷される前の印刷対象物そのものの盗難、盗難に伴う偽変造、などに対する対策が求められている。
【０００７】
その対策の一つとして、通帳類やカードなど印刷対象物の製造工程で、印刷対象物そのものに固有の情報を付与しておくことが考えられる。これは例えば通帳類などの媒体に内蔵された無線１Ｃに固有の情報を記録することにより実現できる。
【０００８】
この印刷対象物固有情報と、後から印刷・記録するセキュリティ情報の両方を同時に組み合わせて管理することで、未使用印刷対象の盗難で偽造されたセキュリティ印刷物の発見、加えて、変造や全くの偽造印刷物の発見や抑止にも効果がある。
【０００９】
この場合さらに望ましくは、印刷対象物固有情報をそのまま、もしくは加工して後から印刷するセキュリティ情報の一部に加えて印刷、記録することである。
【特許文献１】特開２００３−２６６７５２号公報
【発明の開示】
【発明が解決しようとする課題】
【００１０】
従来の技術において説明した無線１Ｃを内蔵した通帳類やカードなどの媒体に対し、中間転写による印刷を行う通帳類印刷装置において、印刷対象となる印刷物に何をどのように印刷するかといった制御情報は、例えば装置個々の不揮発性メモリ等に記録されており、印刷位置や印刷内容に変更があった場合は、個々の装置に対して制御情報を更新する必要がある。
【００１１】
また、印刷データそのものにこれらの印刷位置や印刷内容の制御情報を付随させる方法も考えられるが、この場合でも印刷機を制御するホストプログラム個々に対して、設定ファイルの更新などの作業を行う必要がある。
【００１２】
印刷位置や印刷内容の変更以外にも、通帳類などの媒体に対する仕様変更、具体的には紙質の変更や通帳類ページ数の変更、通帳類サイズの変更などが生じた場合、搬送速度や搬送距離、転写温度などの機構制御に対する制御情報を個々の装置に対して更新する必要がある。
【００１３】
しかしながら、従来においては、印刷装置の数が多数である場合、全ての装置に対して確実に更新を行うことは非常に負担が大きいとともに、更新漏れが生じるなどの問題があった。
【００１４】
本発明は上記事情に着目してなされたもので、その目的とするところは、印刷位置や、印刷内容、通帳類の仕様に変更が生じた場合においても、印刷装置毎に制御情報を更新することなく、対応できるようにした通帳類印刷装置及び印刷方法を提供することにある。
【課題を解決するための手段】
【００１５】
上記課題を解決するため、請求項１記載のものは、予め制御情報を記録した無線ＩＣを有した通帳類を搬送する搬送手段と、この搬送手段によって搬送される通帳類に情報を印刷する印刷手段と、前記搬送手段によって搬送される通帳類の無線ＩＣに記録されている制御情報を無線通信で読み取る読取手段と、この読取手段の読取情報に基づいて前記印刷手段の印刷動作を制御する制御手段とを具備することを特徴とする。
【００１６】
請求項８記載のものは、予め制御情報を記録した無線ＩＣを有した通帳類を搬送手段によって搬送することと、この搬送手段によって搬送される通帳類に情報を印刷手段によって印刷することと、前記搬送手段によって搬送される通帳類の無線ＩＣに記録されている制御情報を読取手段によって無線通信で読み取ることと、前記読取手段の読取情報に基づいて前記印刷手段の印刷動作を制御することとを具備することを特徴とする。
【発明の効果】
【００１７】
本発明は、通帳類の無線ＩＣに制御情報を予め記録し、この無線ＩＣの制御情報を読取手段により読み取り、その読取情報に基づいて印刷手段の動作を制御するため、印刷条件の変更に伴なってその都度、印刷装置個々の不揮発性メモリに記録されている制御情報等を更新する必要がなく、印刷条件の変更に対する対応が容易になる。
【発明を実施するための最良の形態】
【００１８】
以下、本発明を図面に示す実施の形態を参照して詳細に説明する。  
図１は本発明の一実施の形態である通帳類印刷装置１を示す全体構成図である。
【００１９】
この通帳類印刷装置１は取出手段としての通帳類取込部４を備え、この通帳類取込部４には通帳類Ｔが閉じた状態で複数冊積層されてセットされ、一冊づつ取り込まれるようになっている。この取込まれた通帳類Ｔは複数個の搬送ローラ対２によって搬送路３に沿って搬送される。搬送路３中には通帳類Ｔの搬送方向に沿って読取手段としての第１の無線ＩＣ Ｒ／Ｗ部５、頁捲り装置６、直接印刷部７、印刷手段としての中間転写印刷部８、ＯＣＲ読取部９、及び通帳類折畳み部１４、さらに、第２の無線ＩＣ Ｒ／Ｗ部１０が配設されている。
【００２０】
また、搬送路３の排出端側には通帳類Ｔの排出方向を第１の方向と第２の方向に切り換える排出ゲート１１が設けられ、第１の方向には正常な通帳類Ｔを集積させる正常通帳集積部１２、第２の方向には不良な通帳類を集積させる不良通帳集積部１３が配設されている。
【００２１】
上記した通帳類取込部４は、複数の通帳類Ｔを重ねたまま投入可能であり、制御部の指示に応じて最も下側の１冊のみが取出手段であるピッカ（図示しない）によって取り出され、第１の無線ＩＣ Ｒ／Ｗ部５の方向に取り込まれる。
【００２２】
第１の無線ＩＣ Ｒ／Ｗ部５は、通帳類Ｔに後述するように内蔵される無線ＩＣ４３に記録されている通帳個有情報、及び制御情報を無線通信によって読み取るようになっている。
【００２３】
頁捲り装置６は、通帳類取込部４から取り込まれた通帳類Ｔの表紙を捲ったり、さらに内側の中紙をめくる機能を有する。めくった頁の認識は、通帳類Ｔに当初より印刷されているバーマークを、図示しないバーマークリーダで読み取ることで行う。
【００２４】
直接印刷部７は、印刷する通帳類Ｔの印刷頁表面上に、インクリボン７ｂ、サーマルヘッド７ａの順に押し当てて、サーマルヘッド７ａが発熱することで画像や文字を印刷する。この実施の形態では、中間転写印刷部８で印刷される情報に比べて、セキュリティ度合いが低い情報を直接印刷部７によって印刷する。
【００２５】
なお、通帳類Ｔの全てが直接印刷部７で印刷されるわけではなく、また、直接印刷部７で印刷される頁は、中間転写印刷部８で印刷される頁とは異なる。このため、直接印刷部７での印刷が発生した場合は、まず印刷する頁を頁捲り装置６で捲り出して直接印刷を行った後に、再度頁捲り装置６に搬送して中間転写印刷を行う頁を捲り出す。直接印刷部７で印刷される情報がない場合は、通帳類Ｔは直接印刷部７を通過する。
【００２６】
図２は、上記した中間転写印刷部８を示すものである。
【００２７】
中間転写印刷部８は機能的に情報印刷部（以下、印刷部という）１６と、オーバーコート転写部（以下、転写部という）１７とを有して構成されている。
【００２８】
印刷部１６としては熱溶融転写印刷方式のものが採用されている。即ち、サーマルヘッド１９とプラテンローラ２０に挟まれるように溶融インクリボン２２と中間転写フィルム２１とを配置し、サーマルヘッド１９により溶融インクリボン２２のインクを中間転写フィルム２１の表面に転写して情報等を印刷する。
【００２９】
この熱溶融転写方式の特徴としては、画像耐久性が高いこと、インク材料に機能性材料を適用することが比較的容易なこと（例えば蛍光顔料、アルミ蒸着薄膜）などがあり、偽造防止を目的とする印刷物に適している。
【００３０】
溶融インクリボン２２のベースフィルム厚やインク層厚は、印刷ドット再現性に極めて重要なパラメータであり、インクリボン層厚としては３〜２５μｍであり、望ましくは４〜１０μｍである。
【００３１】
一方、中間転写フィルム２１の後述するベースフィルムの厚さや、受像兼接着層厚は、接着性や膜切れ特性に影響を与えるパラメータであり、中間転写フィルム２１の層厚は、１０〜１００μｍであり、望ましくは２５〜５０μｍである。
【００３２】
プラテンローラ２０は硬質のゴム材料を表面に用いたローラで、ゴム硬度が上がるほどに微小ドットの再現性が向上するが、同時に最適なプラテンローラ２０とサーマルヘッド１９の位置関係を得ることが難しくなる。このため、硬度は７５°以上、望ましくは８５〜９７°である。同時に研磨したゴム表面の表面粗さも、表面平滑性が上がるほどに微小ドットの再現性が向上する。このため、表面粗さは中心線平均粗さＲａで１μｍ以下、望ましくは０．５μｍ程度であることが要求される。
【００３３】
中間転写フィルム２１を搬送する駆動力は、一般的にプラテンローラ２０に駆動機構を設けることが多いが、上記の硬度と平滑性から中間転写フィルム２１とプラテンローラ２０の摩擦係数が上がらず、また安定しない。このため、プラテンローラ２０の下流（ヒートローラ側）直近に別途フィルム駆動ローラ２３を設ける。フィルム駆動ローラ２３は硬度３０〜６０度のローラを用い、中間転写フィルム２１はフィルム駆動ローラ２３に対して出来るだけ巻付き角が大きいほうが良い。実施例では９０°から１３０°の巻き付き角をえられるようにテンショナ２４を配置する。
【００３４】
テンショナ２４には図示しないバネ機構が設けられ、限られた可動範囲内で中間転写フィルム２１にテンションを与えて、フィルム駆動ローラ２３と中間転写フィルム２１が常に適切に接触する状態を作り出す。フィルム駆動ローラ２３の駆動は５相ステッピングモータ、タイミングベルト、プーリによる減速機構の組み合わせにより、正確に搬送が行われる。また、サーマルヘッド１９はニアエッジ、またはコーナエッジタイプのヘッドを用い、熱時剥離による印刷を行うことが望ましい。
【００３５】
また、転写部１７は通帳類搬送路３を介して対向配置されるヒートローラ３５とバックアップローラ３６を備えている。ヒートローラ３５はＤＣサーボモータ若しくはステッピングモータにより正確に一定速度で駆動可能になっており、回転自在なバックアップローラ３６との間にはコイルバネ３７で発生された圧力が付与されるようになっている。
【００３６】
図３（ａ）〜（ｃ）は中間転写フィルム２１の構成を示す断面図である。
【００３７】
図３（ａ）に示す中間転写フィルム２１は、基材としてのポリエチレンテレフタレート（以下、ＰＥＴという）のフィルム２６の表面に、透明樹脂によるホログラム形成層と金属化合物の蒸着層による透明ホログラム層２８、受像層兼接着層としてのポリエステル系樹脂２９を積層したものである。
【００３８】
また、図３（ｂ）に示す中間転写フィルム２１は、基材としてのＰＥＴ（ポリエチレンテレフタレート）フィルム２６の表面に、剥離層としてのフェノキシ系樹脂２７、透明樹脂によるホログラム形成層と金属化合物の蒸着層による透明ホログラム層２８、受像層兼接着層としてのポリエステル系樹脂２９を積層したものである。
【００３９】
さらに、図３（ｃ）に示す中間転写フィルム２１は、基材としてのＰＥＴフィルム２６の表面に、剥離層としてのフェノキシ系樹脂２７、保護層３０、透明樹脂によるホログラム形成層と金属化合物の蒸着層による透明ホログラム層２８、受像層兼接着層としてのポリエステル系樹脂２９を積層したものである。
【００４０】
その他、中間転写フィルム２１としては紫外線によって発光する蛍光発色層などの機能層を設け、転写対象への転写と同時にこれらの機能層も転写するものであってもよい。
【００４１】
図４は上記した通帳類取込部４にセットされる通帳類Ｔを開いた状態で示すものである。
【００４２】
この通帳類Ｔは表紙Ｔａを有し、この表紙Ｔａには綴じ目部Ｔｔを介して複数枚の中紙Ｔｎが綴じ込められている。中紙Ｔｎには通帳類固有情報としての通帳類固有番号４２が予め印刷されているとともに、無線ＩＣ４３が内蔵されている。無線ＩＣ４３には、通帳類固有番号データが記録されているとともに、制御情報が記録されている。制御情報は、例えば、図１０に示すように文字や画像の位置情報ａ、レイアウト情報ｂ、通帳類のサイズ情報ｃ、厚さ、硬さ情報ｄ、また、通帳類や中間転写フィルムの材質情報ｅ，ｆである。
【００４３】
図５は上記した通帳類印刷装置１の駆動制御系を示すブロック図である。
【００４４】
図中５１はデータ入力制御部で、このデータ入力制御部５１に印刷装置１が接続されている。データ入力制御部５１には主制御部５２が設けられ、この主制御部５２には制御回路を介してメモリ５３、インターフエース部５４、操作パネル５５、及び画像入力部５６が接続されている。
【００４５】
印刷装置１には装置制御部５８が設けられ、この装置制御部５８には制御回路を介して直接印刷画像処理部６７、中間転写画像処理部６８、ヒータ温度制御部６０、通帳類搬送制御部６１、画像形成制御部６２、無線ＩＣ制御部６９，７３が配設されている。
【００４６】
上記した直接印刷画像処理部６７にはサーマルヘッド７ａの印字動作を制御するヘッド制御部６３が接続されている。中間転写画像処理部６６にはサーマルヘッド１９の印字動作を制御するヘッド制御部６４が接続されている。
【００４７】
ヒータ温度制御部６０には制御回路を介してヒートローラ３５のヒータ６５が接続されている。通帳類搬送制御部６１には制御回路を介して通帳類搬送機構２Ａ、通帳類取込機構４ａ、頁検知部６ｂ、頁捲り機構６ａ及び排出ゲート制御部１１ａが接続されている。
【００４８】
画像形成制御部６２には制御回路を介して転写リボン搬送機構３２ａ、バックアップローラ３６を昇降させるバックアップローラ昇降機構１９ａ、ヒートローラ３５を回転させる回転機構３５ａが接続されている。
【００４９】
無線ＩＣ制御部６９，７３には、無線ＩＣ Ｒ／Ｗ（リーダ／ライタ）部５，１０が接続されている。
【００５０】
次に、上記したように構成される通帳類印刷装置１の印刷動作について説明する。
【００５１】
まず、図１に示す通帳類取込部４から通帳類Ｔが１冊づつ取出されて頁捲り装置６に搬送され、ここで、通帳類Ｔの表紙Ｔａが捲られて所定のページが開いた状態となる。即ち、図９（ａ）に示すように捲り位置に搬送されてくる通帳類Ｔの綴目部Ｔｔ側を搬送ローラ対２ａ，２ｂによりクランプした状態で、ローラアーム１０４と通帳押上ガイド１０３を回動させて傾斜させる。この通帳押上ガイド１０３の回動によって通帳類Ｔが押し上げられてカールされ、捲りローラ１０１に押し付けられる。この状態から図９（ｂ）に示すように捲りローラ１０１が時計方向に回転されて一番上位側の表紙Ｔａの捲りが開始されて湾曲状にされる。こののち、図９（ｃ）に示すように、ローラアーム１０４が逆方向に回動されてその捲りローラ１０１で湾曲状の表紙Ｔａを押し上げ、さらに、捲りローラ１０１が回転することにより、図９（ｄ）に示すように表紙Ｔａの先端が捲りローラ１０１によって持ち上げられ、ついには、図９（ｅ）に示すように表紙Ｔａの先端部が反発力によりが捲りローラ１０１の上側に乗り上がる。しかるのち、図９（ｆ）に示すようにローラアーム１０４が左方向へ回動して捲りローラ１０１が移動し停止する。この状態から通帳類Ｔが搬送ローラ対２ｃ，２ｄの回転によって右方向に搬送されて、図９（ｇ）に示すように通帳類Ｔの捲りを完了する
つぎに、無線ＩＣ Ｒ／Ｗ５によって通帳類Ｔの無線ＩＣ４３に記録されている通帳固有情報データ及び制御情報データを読み取る。この読み取られた情報データは印刷制御装置５８に送信される。
【００５２】
一方、印刷装置制御部５８には、画像入力部５６で取得された所持人のカラー顔画像データ、操作パネル５５で入力された所持人のセキュリティ文字情報が送信されてくる。
【００５３】
この印刷装置制御部５８に送信された所持人のカラー顔画像データ、所持人のセキュリティ文字情報、さらに通帳固有情報、制御情報データに基づいて印刷データが生成される。
【００５４】
印刷データに基づいて中間転写画像処理部６８では、サーマルヘッド１９を動作させてＹ（イエロー），Ｍ（マゼンタ），Ｃ（シアン）の三原色のインクに加えて黒インクの４色を重ね合せて所持人の顔画像を中間転写フィルム２１の表面にカラー印刷する。これら複数色のインクの重ね合わせによる印刷は、中間転写フィルム２１がサーマルヘッド１９をインクの色数と同じ回数往復することで行われる。また、印刷される情報は、反転画像であるという特徴がある。なお、印刷色は上記４色のインクに加えて、蛍光顔料を含んだインクなど機能性インクを付与してもよい。
【００５５】
この所持人の顔画像のカラー印刷後、通帳固有情報が付与されたセキュリティ情報が中間転写フィルム２１の表面にサーマルヘッド１９により印刷される。
【００５６】
このようにカラー顔画像、及び通帳固有情報が付与されたセキュリティ情報が印刷された中間転写フィルム２１は順方向（ヒートローラ３５の方向）に巻き取られ、図６（ａ）に示すように経路途中の転写部マーク検知センサ３９によって中間転写フィルム２１の位置が把握される。この把握結果に基づいて転写開始位置まで中間転写フィルム２１が送られる。
【００５７】
また、このとき通帳類Ｔは、転写される頁が開かれた状態で図６（ｂ）に示すように取り込まれて、ヒートローラ３５に対して決められた位置に搬送される。転写される頁は、表紙見返し頁でも、他の中紙頁でもかまわない。
【００５８】
このように互いに位置決めされた中間転写フィルム２１と通帳類Ｔの該当ベージは、図６（ｃ）に示すように円周の一部が切り欠かれた形状の金属製のヒートローラ３５の回転と共に合わされ、搬送と同時に加圧されるとともに加熱される。その後、図７に示すように通帳類Ｔに対して６０°〜１１０°の角度をもって転写フィルムベース２６が引き上げられて、固有印刷情報と受像兼接着層２９、ホログラム層２８の転写が完了し、図８に示すように固有情報４２ａが転写されたものを含み、数字、文字、記号、バーコード等からなるセキュリティ情報４６及び所持人のカラー顔画像４４が転写される。転写が完了した通帳類Ｔは、図６（ｄ）に示すように頁が開かれた状態のままＯＣＲ読取部９に搬送される。
【００５９】
このＯＣＲ読取部９で通帳固有情報４２ａとセキュリティ情報４６が読み取られる。この読み取られた通帳固有情報４２ａとセキュリティ情報４６は、認識されたのち、この認識結果が印刷装置制御部５８に送信される。印刷装置制御部５８では、データの照合処理を行い、判断した結果を通帳類搬送制御部６１に送信する。
【００６０】
データの照合結果で不良と判断された場合には、印刷装置制御部５８からデータ入力制御部５０、及び無線ＩＣ制御部７３に対し、作成した通帳類が不良であったことを通知する。
【００６１】
データ入力制御部５０では作成された通帳類が不良であったという通知を受信することに基づいて再度同一の印刷処理命令を印刷装置制御部５８に送信し、自動的に通帳類の再作成を行わせる。
【００６２】
ＯＣＲ読取部９を通過した通帳類Ｔは折畳み部１４に送られて折り畳まれたのち、無線ＩＣ Ｒ／Ｗ部１０へ送られる。通帳類が不良の場合には無線ＩＣ Ｒ／Ｗ部１０により不良である旨のデータが通帳類Ｔの無線ＩＣ４３に記録される。
【００６３】
一方、ＯＣＲ読取部９で読み取ったデータの照合結果が正しかった場合には、印刷装置制御部５８で生成された印刷データに基づいて無線ＩＣ４３への記録データが生成され、無線ＩＣ 制御部７３に送信される。この送信に基づき無線ＩＣＲ／Ｗ部１０により通帳類固有情報が付与されたセキュリティ情報を通帳類Ｔの無線ＩＣ４３に記録（書き込み）する。
【００６４】
無線ＩＣＲ／Ｗ部１０で、無線ＩＣ４３に情報が記録された正常通帳類は排出ゲート１１の動作により正常通帳集積部１２へ排出され、不良通帳類は不良通帳類類集積部１３へ排出されてそれぞれ集積される。
【００６５】
ところで、通帳類Ｔの無線ＩＣ４３には、上記したように予め印刷制御情報として、例えば、文字や画像の位置情報、レイアウト情報、通帳類のサイズ情報、厚さ情報、硬さ情報、或いは、通帳類や中間転写フィルムの材質情報等が記録されている。この印刷制御情報は無線ＩＣ Ｒ／Ｗ５によって読み取られ、その読取情報に基づいて印刷動作が制御されるようになっている。
【００６６】
次に、無線１Ｃ４３に予め記録された印刷制御情報による印刷動作の制御について説明する。
【００６７】
通帳類Ｔの無線ＩＣ４３に予め記録されている制御情報が、例えば、文字、画像の位置情報、或いはレイアウト情報である場合には、その読取情報に基づいてヘッド制御部６４によってサーマルヘッド１９の動作が制御されて印刷位置、或いは印刷レイアウトが変更される。
【００６８】
また、通帳類Ｔの無線ＩＣ４３に予め記録されている制御情報が、通帳類Ｔの紙質情報である場合には、その読取情報に基づいて通帳搬送制御部６１により通帳搬送機構２Ａの動作が制御されて通帳類Ｔの搬送速度が変更される。
【００６９】
また、通帳類Ｔの無線ＩＣ４３に予め記録されている制御情報が、通帳類Ｔのサイズ情報である場合には、その読取情報に基づいて通帳搬送制御部６１の通帳搬送機構２Ａの動作が制御されて通帳類Ｔの搬送距離が変更される。
【００７０】
さらに、通帳類Ｔの無線ＩＣ４３に予め記録されている制御情報が、通帳類Ｔの厚さ情報や、硬さ情報である場合には、その読取情報に基づいて通帳搬送制御部６１によりページ捲り機構６ａの動作が制御されて通帳押上ガイド１０３による通帳類の押上量が変更される。
【００７１】
また、通帳類Ｔの無線ＩＣ４３に予め記録されている制御情報が、通帳類Ｔの厚さ情報である場合には、その読取情報に基づいて画像形成制御部６２によりバックアップローラ昇降機構１９ａの動作が制御されてバックアップローラ３６の位置が変更される。
【００７２】
また、通帳類Ｔの無線ＩＣ４３に予め記録されている制御情報が、通帳類Ｔや中間転写フィルム２１の材質である場合には、その読取情報に基づいてヒータ温度制御部６０によりヒートローラ３５のヒータ６５の加熱温度が変更され、或いは、ヒートローラ回転機構によりヒートローラ３５の回転速度が変更される。
【００７３】
以上、述べたように、通帳類Ｔの製造時に内蔵された無線ＩＣに予め記録された制御情報を用いることにより、印刷位置や、印刷内容の変更、また、通帳類の紙質、厚さ、サイズ、中間転写フィルムの材質等の変更が生じた場合でも、装置側のプログラムや設定を変更するといったこと無く、容易に変更への対応が可能となる。
【００７４】
なお、本発明は、上記一実施の形態に限られることなく、その要旨の範囲内で種々変形実施可能なことは勿論である。
【図面の簡単な説明】
【００７５】
【図１】本発明の一実施の形態である通帳類印刷装置を概略的に示す構成図。
【図２】同通帳類印刷装置に備えられる転写印刷部を示す構成図。
【図３】同転写印刷部で用いられる転写フィルムを示すもので、（ａ）はその第１の例、（ｂ）はその第２の例、（ｃ）はその第３の例を示す構成図。
【図４】同通帳類印刷装置で印刷される通帳類を開いた状態で示す平面図。
【図５】同通帳類印刷装置の制御部を示すブロック図。
【図６】同転写印刷部の転写動作を示す図。
【図７】同転写印刷部の転写動作の一部を拡大して示す図。
【図８】同転写印刷部で印刷された通帳類を示す平面図。
【図９】同頁捲り装置を示す構成図。
【図１０】同無線ＩＣに記録される制御情報を示す図。
【符号の説明】
【００７６】
Ｔ…通帳類、２ａ〜２ｄ…搬送ローラ対（搬送手段）、５…無線ＩＣ Ｒ／Ｗ部（読取手段）、８…中間転写印刷部（印刷手段）、３５…転写ローラ、３６…バップアップローラ、４３…無線ＩＣ、５８…印刷装置制御部（制御手段）。
【図１】
2005349700.tif 000003
【図２】
2005349700.tif 000004
【図３】
2005349700.tif 000005
【図４】
2005349700.tif 000006
【図５】
2005349700.tif 000007
【図６】
2005349700.tif 000008
【図７】
2005349700.tif 000009
【図８】
2005349700.tif 000010
【図９】
2005349700.tif 000011
【図１０】
2005349700.tif 000012